(57)【特許請求の範囲】
【請求項１】
第１ブラシ（２）と開口部（５）を有した本体（１）と、
第２ブラシ（４）を少なくとも１つ有した補助部材（３）と、
を備えたホワイトボードイレイサーであって、
前記補助部材（３）は前記開口部（５）に出し入れ自在に前記本体（１）に収納され、
出した状態または入れた状態で一時的に前記本体（１）に固定され、
第２ブラシ（４）の表面が第１ブラシ（２）の表面と面一の状態まま前記補助部材（３）を前記本体（１）に水平方向に摺動する摺動ガイドが更に設けられ、
前記補助部材（３）の形状は細長平板状を成し、かつ、前記補助部材（３）のブラシ植毛面とは反対の面に操作補助グリップ部（１４）を形成したことを特徴とするホワイトボードイレイサー。
【発明の詳細な説明】
【技術分野】
【０００１】
本発明は、会議などで用いられる電子黒板装置やホワイトボードに使用するイレイサーに関するものである。
【背景技術】
【０００２】
従来のイレイサーは例えば市販品は接触面が布製やフェルトなど手で持てる直方体の物が一般的であり、また従来の技術として文献１〜６に記載のものが知られている。
【０００３】
文献１の技術は使い捨てで資源の無駄使いであり、シールが剥がれ易く、板書されたマーカーインクの細かい箇所を消すことができない。
【０００４】
文献２、６の技術は電動式でコストが高いわりに、文献１と同様に、板書されたマーカーインクの細かい箇所を消すことができない。加えて文献６はその振動や機械音が気に障る。 
【０００５】
文献３、５の技術は交換式で交換の際、汚れ、交換も面倒である。また、文献４の技術はその構造が複雑であり、他の上記文献と同様に板書されたマーカーインクの細かい箇所を消すことができない。
【先行技術文献】
【特許文献】
【０００６】
【特許文献１】特開平７−２４２０９８号公報
【特許文献２】特開平８−２３８８９５号公報
【特許文献３】特開２００８−２７９７４４号公報
【特許文献４】特開２００８−２７３１５７号公報
【特許文献５】特開２００８−２７３１５６号公報
【特許文献６】特開２００９−２３３２６号公報
【発明の概要】
【発明が解決しようとする課題】
【０００７】
今までの従来のイレイサーは使い続けると板書を消しにくくなり、ホワイトボード上に消しカスが残ったりしていた。さらに、上述したように板書した文字の一部分など細かい部分を消すことが困難であった。
【０００８】
本発明は、上記課題を解決することを目的として、例えば以下の手段の発明を思いついた。
【課題を解決するための手段】
【０００９】
第１の態様のホワイトボードイレイサーは、
第１ブラシ（２）と開口部（５）を有した本体（１）と、
第２ブラシ（４）を少なくとも１つ有した補助部材（３）と、
を備え、かつ、前記補助部材（３）は出し入れ自在に前記本体（１）に収納され、かつ
出した状態または入れた状態で一時的に前記本体（１）に固定されることを特徴とする。
【００１０】
第２の態様のホワイトボードイレイサーは、前記補助部材（３）は前記本体（１）に摺動自在に設けられていることを特徴とする。
【００１１】
第３の態様のホワイトボードイレイサーは、前記第１ブラシ（２）と前記第２ブラシ（４）は多数の樹脂製の針状体を成し、各ブラシ（２，４）のショアＤ硬度を３０〜８５かつ長さ（Ｌ１）を５ｃｍ以下とすることを特徴とする。
【００１２】
第４の態様のホワイトボードイレイサーは、
前記第２ブラシ（４）のホワイトボード面への接触面積（１２）は、
前記第１ブラシ（２）の接触面積（１１）より小さく、かつ、接触面積が０．５ｃｍ2〜３ｃｍ2としたことを特徴とする。
【００１３】
第５の態様のホワイトボードイレイサーは、前記補助部材（３）の形状はアスペクト比２以上の細長平板状を成し、かつ、前記補助部材（３）のブラシ植毛面とは反対の面には、操作補助グリップ部（１４）を形成したことを特徴とする。
【発明の効果】
【００１４】
第１の態様のホワイトボードイレイサーによれば、ホワイトボード上の板書を広範囲かつ効率よく消去でき、さらに局所的にも消すことができる。
【００１５】
上記好適な態様のホワイトボードイレイサーによれば、摺動機構を有するため、イレイサー自体を小型化でき、さらに補助部材を円滑に出し入れすることができる。
【００１６】
上記好適な態様のホワイトボードイレイサーによれば、各ブラシが上述の構成の針状態を成すために、消しカスがホワイトボード上に残留せずはきだされ、ボード面上を常に綺麗にすることができる。
【００１７】
上記好適な態様のホワイトボードイレイサーによれば、上記好適な接触面積を有した第２ブラシにより、文字のはねや一部を間違えた部分だけ消すことができる。
【００１８】
上記好適な態様のホワイトボードイレイサーによれば、上記好適な操作補助グリップ部を有するために、ユーザーは１本又はそれ以上の指で本イレイサーを容易に片手だけで容易に操作することができる。
【図面の簡単な説明】
【００１９】
【図１】本発明のホワイトボードイレイサーの斜視図である。
【図２】本発明のホワイトボードイレイサーのブラシを示す下面図である
【図３】本発明のホワイトボードイレイサーの第２ブラシの使用状態を示した側面図である。
【図４】第２ブラシの接触面積及び使用状態を示した図である。
【図５】補助部材を示す側面図である。
【図６】本発明の検証実験の図である。
【図７】本発明の検証実験の図である。
【発明を実施するための形態】
【００２０】
以下、本発明のホワイトボードイレイサーの実施形態を図面に基づいて説明する。
【００２１】
図１は本発明のホワイトボードイレイサーの斜視図、図２は本発明のホワイトボードイレイサーのブラシを示す下面図、図３は本発明のホワイトボードイレイサーの第２ブラシの使用状態を示した側面図、図４は第２ブラシの接触面積及び使用状態を示した図、図５は補助部材を示す側面図、図６および図７は本発明の検証実験を示した図である。
【００２２】
本発明は、図１に示すように第１ブラシ（２）と開口部（５）を有した本体（１）と、第２ブラシ（４）を少なくとも１つ有した補助部材（３）とで構成されている。
【００２３】
補助部材（３）は、図２に示すように本体（１）の開口部（５）を摺動し収納及び所定の位置（Ｌ１）で固定、あるいは取り外すことができる。
補助部材（３）は出し入れ自在に本体（１）に収納され、かつ、
出した状態（図２に示すＬ１を参照）または入れた状態で一時的に本体（１）に固定され、取り外すことができる。
さらに好ましくは、補助部材（３）は本体（１）に、例えば図１に示す摺動ガイド（３A）により摺動自在に設けられている。なお、図示しないが、補助部材（３）は本体（１）に対して、磁性体や連結部材（例えば、ばね、ゴム、ひも）を用いて出し入れ自在にしてもよい。
【００２４】
第１のブラシ（２）及び第２のブラシ（４）は天然または人工の樹脂素材で、図３に示すように多数の針状から成り、そのブラシの硬さ及び長さは図６、図７、図８に記載した実験を幾度となく試行錯誤した結果、消しカス（８）がボード（６）面上に残らないブラシの硬さはショアＤ硬度３０〜８５、長さは５ｃｍ以下が好ましい。
【００２５】
図３はボード（６）面上にあるマーカーインク（７）を消した際に生じる消しカス（８）が第１のブラシ（２）及び第２のブラシ（４）の内部及び掻き出されている状態を示す。
【００２６】
図４に示すように、第２のブラシ（４）のボード（６）面への接触面積（１２）は第１のブラシ（２）のボード（６）面への接触面積（１１）よりも小さい。
【００２７】
ボード（７）面に書かれた文字（９）の一部だけ消す場合、第１のブラシ（２）の接触面積（１１）では文字（９）に隣接して書かれた文字（１０）も消えてしまい、第２のブラシ（４）の接触面積（１２）では文字（９）の一部のみ消すことができる。
【００２８】
図５に示すように補助部材（３）はアスペクト比２以上の細長平板状を成し、かつ、前記補助部材（３）のブラシ植毛面とは反対の面には、例えば凹凸パターン（１３）を有する操作補助グリップ部（１４）が形成されている。これにより、ユーザーは１本又はそれ以上の指で本イレイサーを容易に片手だけで容易に操作することができる。
【００２９】
図６、図７は本発明の実証実験の結果を示す。
【００３０】
図６（a）に示す本発明の試作物（１５）、図６（b）に示す複数の比較物（１６A〜１６D）により、ホワイトボード上に書かれたマーカーインクの線（１７、図６（c））を消す実験を行った。また、図示しない市販のイレイサーも同様の実験を行った。
【００３１】
図６（d）に、本発明の試作物（１５）で消した状態を示す。一方、図６（e）、図７(a)、図７(b)、図７(c)、および図７(d)は、それぞれ、刷毛ブラシ（１６A）で消した状態、化粧用ブラシ大（１６B）で消した状態、化粧用ブラシ小（１６C）で消した状態、市販のイレイサーで消した状態、歯ブラシ（１６D）で消した状態を示す。なお、図７（e）は市販のイレイサーで消した後のボード上の消しカス（８）の状態を示す。
【００３２】
以下の表１はこれらの実験結果（各イレイサーにおけるマーカーインクの消去能力）をまとめて示している。
【００３３】
【表１】
0005864795.tif 000002
【００３４】
本発明は、上述の実施例に限定されるものではなく、例えば、補助部材が本体から磁石を使って着脱できる構造であってもよい。また、ブラシの材質は天然素材以外の金属で構成されてもよい。
【産業上の利用可能性】
【００３５】
本発明は、マーカーインクが消し難い筆記面を有した電子黒板装置やホワイトボード或るいは筆記ボード文具用のイレイサーとして用いることが可能である。
【符号の説明】
【００３６】
１    本体
２    第１のブラシ
３    補助部材
３A    摺動ガイド
４    第２のブラシ
５    開口部
６    ボード
７    マーカーインク
８    消しカス
９    文字Ａ
１０    文字Ｂ
１１    接触面積Ａ
１２    接触面積Ｂ
１３    凹凸パターン
１４    操作補助グリップ部
１５    本発明の試作物
１６A〜D  各イレイサー比較物
１７    マーカーインクの線
【要約】
【課題】使い続けても目詰まりせず消すことが持続し、ボード上に消しカスが残らず、さらに文字の一部など細かい部分のみ消すことができるホワイトボードイレイサーを提供する。
【解決手段】ホワイトボードイレイサーは、
第１ブラシ（２）と開口部（５）を有した本体（１）と、
第２ブラシ（４）を少なくとも１つ有した補助部材（３）と、
を備え、かつ、前記補助部材（３）は出し入れ自在に前記本体（１）に収納され、かつ、出した状態または入れた状態で一時的に前記本体（１）に固定されることを特徴とする。
【選択図】図１【図１】
0005864795.tif 000003
【図２】
0005864795.tif 000004
【図３】
0005864795.tif 000005
【図４】
0005864795.tif 000006
【図５】
0005864795.tif 000007
【図６】
0005864795.tif 000008
【図７】
0005864795.tif 000009